(57)【要約】      （修正有）【課題】閉じた状態であっても索引を確認することができるとともに、記録確認に際し、記録紙を支持しつつ表紙の開放操作を可能にしてこの記録紙のばらけを防止し、これによって、記録箇所を開く作業や記録内容の確認作業を簡便に行ない得る記録帳を提供する。【解決手段】折曲可能に連設された表紙２ａおよび裏表紙２ｂとからなる表装具２と、表装具に挟み込むようにして内装される記録紙３と、表装具の開きを拘束する拘束部材４とを具備し、記録紙が、山折り３ａと谷折りを繰り返すことによって折り畳まれ、隣接する山折り部の内、後方に位置する山折り部が、手前に位置する山折り部よりも所定幅露出させられていることにより索引領域Ｗが形成され、表装具の表紙が、索引領域の全てを露出させる大きさとなされていることを特徴とする。【選択図】図１
0003182254.tif 000002
【実用新案登録請求の範囲】
【請求項１】
表紙とこの表紙に折曲可能に連設された裏表紙とからなる表装具と、この表装具に挟み込むようにして内装される記録紙と、前記表装具の開きを拘束する拘束部材とを具備し、前記記録紙が、山折りと谷折りを繰り返すことによって折り畳まれているとともに、隣接する前記山折り部の内、後方に位置する前記山折り部が、手前に位置する前記山折り部よりも所定幅露出させられていることにより索引領域が形成され、前記表装具の表紙が、前記索引領域の全てを露出させる大きさとなされていることを特徴とする記録帳。
【請求項２】
前記記録紙には、前記谷折り部を境とした見開きの記録面が形成され、この記録面に暦が表記されていることを特徴とする請求項１に記載の記録帳。
【請求項３】
前記記録紙には、前記谷折り部を境とした両側に記録面が形成され、これらの記録面にメモ欄が表記されていることを特徴とする請求項１に記載の記録帳。
【請求項４】
前記拘束部材が、伸縮性を有する環状のバンドによって構成され、このバンドが、その一部を前記表装具の折り畳み部に固定されることによって前記表装具に装着されていることを特徴とする請求項１ないし請求項３の何れかに記載の記録帳。
【請求項５】
前記拘束部材が、係脱可能な一対の係合部材からなるフックによって構成され、一方の係合部材が前記表紙若しくは裏表紙の何れか一方に固定され、他方の係合部材が、前記表紙若しくは裏表紙の何れか他方に固定された連結片に固定されていることを特徴とする請求項１ないし請求項３の何れかに記載の記録帳。
【請求項６】
前記拘束部材が、前記表紙および裏表紙のそれぞれに固定された結束紐によって構成されていることを特徴とする請求項１ないし請求項３の何れかに記載の記録帳。
【考案の詳細な説明】
【技術分野】
【０００１】
本考案は、予定や日程の記録等に用いられる記録帳に関するものである。
【背景技術】
【０００２】
一般に、予定や日程の記録に用いられる記録帳として、手帳に代表されるような、記録紙を多数枚重ね合わせ、この積層された記録紙を表装具で覆ったものが知られている。
【０００３】
このような一般的な記録帳では、記録したであろう範囲を大まかに特定し、この範囲を順次めくることによって、目的とする記録を見つけ出さなければならない。
【０００４】
このような手順で記録を探し出す場合、似かよった記録が多い場合や細かな記録であるとなかなか見つけ出すことができず、めくり作業を繰り返し行なわなければならないことがしばしばである。
【０００５】
このような不具合を解消するために、従来では、長尺な記録紙を折り畳み、この記録紙の適宜の山折り部に着色等の見出しをつけるとともに、この記録紙の両端部に表紙をつけて、これらの表紙間に、前記折り畳まれた記録紙を収容した折り畳み手帳が提案されている（特許文献１）。
【０００６】
そして、前記折り畳み手帳は、折り畳んだ状態で、前記見出しを記録箇所の索引とし、また、記録紙を広げることによって多数の記録面を一括して検索できるようにして、検索の簡便性を得るようにしている。
【先行技術文献】
【特許文献】
【０００７】
【特許文献１】実開平５−５６４６３号公報
【考案の概要】
【考案が解決しようとする課題】
【０００８】
しかしながら、前述したような技術にあっても、なお、つぎのような改善すべき問題点が残されている。
【０００９】
すなわち、手帳を閉じた状態であると、前記記録紙は折り畳まれた状態であり、かつ、その表裏面が表紙によって覆われていることから、記録紙に設けられている見出しが見づらいといった問題点である。
【００１０】
また、この見出しは、山折り部に設けられていることから、閉じた状態では線状になり、文字による見出しとすることができず、単に位置的な見出しにしかなり得ない。
【００１１】
このような不具合を解消するために、前述した従来技術では、前記記録紙の折幅を変えることによって、前記山折り部に沿って所定幅の非重畳部を形成しておき、この非重畳部を見出しとする対策を提案している。
【００１２】
しかしながら、このような対策であっても、閉じた状態では、表紙によって前記非重畳部が覆われることから、見出しを参照するには表紙を開けなければならずその改善が必要である。
【００１３】
さらに、表紙を開ける際に内側の記録紙を支持することができないので、記録確認のため持ったままで表紙を開けると、記録紙がばらけてしまうことも想定される。
【００１４】
本考案は、このような従来の問題点に鑑みてなされたもので、閉じた状態であっても索引を確認することができるとともに、記録確認に際し、記録紙を支持しつつ表紙の開放操作を可能にしてこの記録紙のばらけを防止し、これによって、記録箇所を開く作業や記録内容の確認作業を簡便に行ない得る記録帳を提供することを解決課題とする。
【課題を解決するための手段】
【００１５】
本考案の請求項１に記載の記録帳は、前述した課題を解決するために、表紙とこの表紙に折曲可能に連設された裏表紙とからなる表装具と、この表装具に挟み込むようにして内装される記録紙と、前記表装具の開きを拘束する拘束部材とを具備し、前記記録紙が、山折りと谷折りを繰り返すことによって折り畳まれているとともに、隣接する前記山折り部の内、後方に位置する前記山折り部が、手前に位置する前記山折り部よりも所定幅露出させられていることにより索引領域が形成され、前記表装具の表紙が、前記索引領域の全てを露出させる大きさとなされていることを特徴としている。
【００１６】
このような構成とすることにより、前記記録紙を折り畳んだ状態において、その山折り部の側部に、複数の索引領域が露出した状態に位置させられる。
そして、前記表装具を閉じて、その表紙によって前記記録紙を覆った状態において、前述した索引領域が前記表紙の側部に露出させられた状態に保持される。
【００１７】
したがって、記録帳を閉じた状態にあっても、前記記録紙に設けられた索引の全てを一度に認識することができる。
【００１８】
また、記録帳を閉じた状態において、この記録帳を構成する表紙と裏表紙とが前記拘束部材によって拘束されていることにより、前記記録紙が前記表装具によって折り畳まれた状態に保持され、不使用時に、記録帳がばらけてしまうことがない。
【００１９】
さらに、記録する場合や記録を確認する場合等において記録帳を開く際は、まず、前記拘束部材を操作して前記表紙と裏表紙との拘束を解除し、ついで、露出されている索引の必要箇所を押さえ、この索引を境にして両側の記録紙を開くことによって、目的の記録位置を開くことができる。
【００２０】
このような操作に際して、前記索引を境にした両側の記録紙の開き操作に応じて、前記表紙および前記裏表紙もそれぞれの側の記録紙とともに開かれる。
したがって、前記表装具や記録紙が常に保持された状態で開かれることになり、前記記録紙がばらけてしまうようなことはない。
【００２１】
しかも、前記記録紙の複数の折り込み部を同時に開くことにより、複数の頁を一度に確認することも可能である。
【００２２】
前記記録紙に、請求項２に記載のように、前記谷折り部を境とした見開きの記録面を形成し、この記録面に暦を表記しておくことにより、記録帳を日程や予定の記録や日付の確認を行なうスケジュール帳として利用できる。
【００２３】
また、請求項３に記載のように、前記記録紙に、前記谷折り部を境とした両側に記録面を形成し、これらの記録面にメモ欄を表記しておくことにより、記録帳を忘備録として利用できる。
【００２４】
本考案の請求項４に記載の記録帳は、請求項１ないし請求項３の何れかに記載の前記拘束部材が、伸縮性を有する環状のバンドによって構成され、このバンドが、その一部を前記表装具の折り畳み部に固定されることによって前記表装具に装着されていることを特徴としている。
【００２５】
このような構成とすることにより、前記記録紙を折り畳むとともに前記表装具を閉じた状態で、前記バンドをその弾性に抗して引き延ばし、このバンドによって前記表装具を取り囲むといった簡便な操作により、前記バンドの弾性によって前記表装具を閉じた状態に保持するとともに、その内部の記録紙を折り畳んだ状態に保持することができる。
【００２６】
また、バッグ等に入れて携帯する場合にあっても、前記記録帳がバッグの中でばらけることがない。
【００２７】
また、前記拘束部材を、請求項５に記載に記載のように、係脱可能な一対の係合部材からなるフックによって構成し、一方の係合部材を前記表紙若しくは裏表紙の何れか一方に固定し、他方の係合部材を、前記表紙若しくは裏表紙の何れか他方に固定した連結片に固定した構成とすることもできる。
【００２８】
さらに、前記拘束部材を、請求項６に記載のように、前記表紙および裏表紙のそれぞれに固定された結束紐によって構成することも可能である。
【考案の効果】
【００２９】
このように、本考案に係わる記録帳によれば、閉じた状態で索引の検索が可能であるとともに、使用に際して記録帳を開く際において、開き面の両側に位置する記録紙を保持しながら開くことができ、使用時における記録紙のばらけを防止することができる。
【図面の簡単な説明】
【００３０】
【図１】本考案の一実施形態を示す外観斜視図である。
【図２】本考案の一実施形態の表装具の底面図である。
【図３】本考案の一実施形態の記録紙の底面図である。
【図４】本考案の一実施形態を示すもので、表装具を開き、記録紙の一部を引き出した状態を示す外観斜視図である。
【図５】本考案の一実施形態を示すもので、記録紙の複数頁を同時に開いた状態を示す外観斜視図である。
【図６】本考案の一実施例を示すもので、記録紙を引き出して裏返しにした状態を示す外観斜視図である。
【図７】本考案の一実施形態の変形例を示すもので、記録面の他の例を示した外観斜視図である。
【考案を実施するための形態】
【００３１】
以下、本考案の一実施形態を図１ないし図６を参照して説明する。
図１において符号１は、本実施形態に係わる記録帳を示す。
【００３２】
この記録帳１は、表紙２ａとこの表紙２ａに折曲可能に連設された裏表紙２ｂとからなる表装具２と、この表装具２に挟み込むようにして内装される記録紙３と、前記表装具２の開きを拘束する拘束部材４とを具備し、前記記録紙３が、山折り（３ａ）と谷折り（３ｂ）を繰り返すことによって折り畳まれているとともに、隣接する山折り部３ａの内、後方に位置する前記山折り部３ａが、手前に位置する山折り部３ａよりも所定幅露出させられていることにより索引領域Ｗが形成され、前記表装具２の表紙２ａが、前記索引領域Ｗの全てを露出させる大きさとなされている。
【００３３】
前記表装具２は、図１および図２に示すように、厚手の紙や合成樹脂等によって二つ折りに構成されており、その一方が前記表紙２ａとなされ、他方が裏表紙２ｂとなされている。
【００３４】
そして、前記裏表紙２ｂは、前記記録紙３を折り畳んだ状態において、この記録紙３の全面を覆う大きさに形成され、また、前記表紙２ａは、前述したように折り込まれた記録紙３の最上部の記録紙のみを覆う大きさに形成されている。
【００３５】
前記記録紙３は、図３に示すように、一つの山折り部３ａに対する下方側の折り曲げ幅に対して、上方側の折り曲げ幅が大きくなるように折り曲げられており、この折り曲げ形態を複数繰り返すことによって、山折り部３ａが、前記折り曲げ幅の差分だけ順次ずれるように折り曲げられている。
【００３６】
そして、折り曲げられた記録紙３の、前記折り曲げ幅に相当する部位がそれぞれ記録面となされ、また、前述した折り曲げ形態とすることにより、前記記録面の、前記山折り部３ａに沿った部分に、前述した折り曲げ幅の差分に相当する領域に非重畳部が形成され、この非重畳部が前記索引領域Ｗとなされている。
【００３７】
一方、前述したように異なる折り曲げ幅で繰り返し折り曲げることにより、前述した山折り部３ａ側において形成される索引領域Ｗが、図３に示すように、前記谷折り部３ｂの外側においても同様に形成される。
【００３８】
すなわち、折り曲げられた記録紙３を裏返すと、前記山折り部３ａと谷折り部３ｂが入れ替わり、両方において前記索引領域Ｗが形成される。
【００３９】
そして、本実施形態においては、前記記録紙３の記録面に、図４に示すように、暦と記録領域が併記された暦欄Ｄが表記されている。
【００４０】
このように、歴欄Ｄが表記されている場合にあっては、前記索引領域Ｗに、対応する歴欄Ｄの月が表記される。
【００４１】
前記拘束部材４は、本実施形態においては、伸縮性を有する環状のバンド（たとえばゴムバンド）によって構成され、このバンドが、その一部を前記表装具２の折り畳み部に固定されることによってこの表装具２に装着されている。
【００４２】
そして、折り畳んだ前記記録紙３を前記表装具２内に収納した後に、この表装具２を閉じ、ついで、前記拘束部材４を伸ばして前記表装具２を外側から取り囲むことにより、図１に示すように、この拘束部材４の弾性力によって前記表装具２を閉じた状態、すなわち、前記記録紙３を収納した状態に保持することができる。
【００４３】
また、前記記録紙３が表装具２とともに前記拘束部材４によって取り囲まれた状態に保持されるから、携帯時において前記表装具２が開いたり、前記記録紙３がばらけることがない。
【００４４】
前記拘束部材４は、図示しないが、係脱可能な一対の係合部材からなるフックによって構成し、一方の係合部材を前記表紙２ａ若しくは裏表紙２ｂの何れか一方に固定し、他方の係合部材を、前記表紙２ａ若しくは裏表紙２ｂの何れか他方に固定した連結片に固定した構成とすることもできる。
【００４５】
このような構成とする場合には、前記表装具２を閉じた状態において、前記連結片を、前記表紙２ａと前記裏表紙２ｂの開放側の端部を横切るように取り回した後に、前記両係合部材を係合させることにより、前記表紙２ａと前記裏表紙２ｂの開きを拘束して、記録帳１を、前記記録紙３を収納した状態に保持する。
【００４６】
さらに、前記拘束部材４を、前記表紙２ａおよび裏表紙２ｂのそれぞれに固定した結束紐（図示略）によって構成することもできる。
【００４７】
そして、この結束紐を、折り畳んだ前記記録紙３を収納した前記表装具２を閉じた状態で、前記結束紐を結ぶことにより、記録帳１を閉じた状態に保持することができるとともに、前記記録紙３のばらけを防止することができる。
【００４８】
前記記録紙３は、折り畳んだ状態で最上部に位置する折り曲げ部３ｃ（図３参照）を、前記表紙２ａの内側に貼着することによって、前記表装具２と一体化される。
【００４９】
そして、本実施形態の記録帳１は、前記記録紙３を折り畳んで前記表装具２内に収納した状態でこの表装具２を閉じ、ついで、この表装具２を取り囲むように前記拘束部材４を巻き付けることにより、図１に示すように、収納状態に保持される。
【００５０】
この状態において、前記記録紙３に形成されている索引領域Ｗの全てが横並び状態で、かつ、前記表紙２ａの側部に露出させられる。
【００５１】
したがって、使用者は、収納状態において索引の全てを認識することができ、使用に当たっては、まず、前記拘束部材４を前記表装具２の折り曲げ部側へ移動させて、前記表紙２ａと裏表紙２ｂとの拘束を解除する。
【００５２】
この後に、前述したように露出状態にある索引領域Ｗにより、目的とする記録紙３の部位を特定し、該当する検索領域Ｗを押さえつつその上方に位置する残余の記録紙３を前記表紙２ａとともに開くことにより、目的とする記録面を開くことができる。
【００５３】
あるいは、前記上方に位置する記録紙３を掴むとともに、目的とする索引領域Ｗより下方の記録紙３を掴んで、図４に示すように、引き出すことにより前記記録面を開くことができる。
したがって、目的の記録面を素早く開くことができる。
【００５４】
また、記録面を開く作業において、この記録面の両側の記録紙３を掴んだ状態で開くことから、この記録紙３の不要な動きを防止した状態で開き作業が行なわれ、この結果、前記記録紙３がばらけてしまうことが防止される。
【００５５】
そして、記録作業や記録された情報の確認作業等を終え、記録帳１を閉じて収納する際には、前記記録紙３を折り畳んで表装具２内に収納し、ついで、前記表装具２の表紙２ａを閉じ、さらに、この表装具２に前記拘束部材４を巻き付けるといった簡便な作業で済む。
【００５６】
一方、複数の記録面を一度に参照したい場合にあっては、前記表紙２ａを開いた状態で、参照したい記録面の挟んだ両側の検索領域Ｗを掴んで開くことによって、目的とする複数の記録面を開くことができる。
【００５７】
たとえば、記録面に歴欄Ｄが表記され、１２月から２月までの記録面を参照したい場合、２月の索引が表記された索引領域Ｗを備えた記録紙３を、その下方に位置する記録紙３とともに掴み、これらを前記表装具２から引き出す。
【００５８】
この操作によって、図５に示すように、１２月から２月までの歴欄Ｄが表記された記録面が開かれ、これらを同時に参照することができる。
【００５９】
一方、本実施形態においては、前記記録紙３を異なる折り曲げ幅で繰り返し折り曲げることにより、前述した山折り部３ａ側において形成される索引領域Ｗが、図３に示すように、前記谷折り部３ｂの外側においても同様に形成される。
【００６０】
そこで、折り曲げられた記録紙３を、図６に示すように、前記表紙２ａを下側にして裏返すと、前記索引領域Ｗが反転した状態で出現する。
したがって、本実施形態においては、前記記録紙３の両面において、前述した作用が得られる。
【００６１】
なお、前記実施形態において示した各構成部材の諸形状や寸法等は一例であって、使用目的や顧客の要望等に基づき種々変更可能である。
たとえば、前記記録紙３の記録面には、前述した歴欄Ｄに代えて、図７に示すように、メモ欄Ｍを表記してもよい。
【符号の説明】
【００６２】
１  記録帳
２  表装具
２ａ  表紙
２ｂ  裏表紙
３  記録紙
３ａ  山折り部
３ｂ  谷折り部
３ｃ  最上部に位置する折り曲げ部
４  拘束部材
Ｄ  歴欄
Ｍ  メモ欄
Ｗ  索引領域
【図１】
0003182254.tif 000003
【図２】
0003182254.tif 000004
【図３】
0003182254.tif 000005
【図４】
0003182254.tif 000006
【図５】
0003182254.tif 000007
【図６】
0003182254.tif 000008
【図７】
0003182254.tif 000009